(57)【要約】【課題】  湿度センサに依存することなく、水蒸気の飽和状態或いはこの飽和状態に近い状態にある被検出ガス雰囲気内の水素ガスの濃度を精度よく検出するようにした水素ガス検出装置を提供する。【解決手段】  水蒸気の飽和状態にある被検出ガス雰囲気内にて検出装置本体１０００による水素ガスの検出濃度を補正するための補正係数βと温度センサ２０００の検出温度との間の極大値を有する２次曲線関係を用いて、マイクロコンピュータ３０００により、検出装置本体１０００による水素ガスの検出濃度を温度センサ２０００の検出温度に基づき補正する。【選択図】    図１
2006194601.tif 000002
【特許請求の範囲】
【請求項１】
プロトン伝導層を有する検出装置本体を備えて、水蒸気の飽和状態或いはこの飽和状態に近い状態にある被検出ガス雰囲気内に前記検出装置本体を配置した状態でプロトンが前記被検出ガス雰囲気に含まれる水素ガスに応じ前記プロトン伝導層を伝導することにより生ずる電流に基づき前記水素ガスの濃度を前記検出装置本体により検出するようにした水素ガス検出装置において、
前記水蒸気の飽和状態或いはこの飽和状態に近い状態にある被検出ガス雰囲気の温度を検出する温度センサと、
前記水蒸気の飽和状態或いはこの飽和状態に近い状態にある被検出ガス雰囲気内にて前記検出装置本体の検出濃度が前記温度センサの検出温度の上昇（或いは低下）に伴い増大（或いは減少）するという所定の関係を用いて、前記検出装置本体の検出濃度を前記温度センサの検出温度に基づき補正する補正手段とを備えることを特徴とする水素ガス検出装置。
【請求項２】
プロトン伝導層を有する検出装置本体を備えて、水蒸気の飽和状態或いはこの飽和状態に近い状態にある被検出ガス雰囲気内に前記検出装置本体を配置した状態でプロトンが前記被検出ガス雰囲気に含まれる水素ガスに応じ前記プロトン伝導層を伝導することにより生ずる電流に基づき前記水素ガスの濃度を前記検出装置本体により検出するようにした水素ガス検出装置において、
前記水蒸気の飽和状態或いはこの飽和状態に近い状態にある被検出ガス雰囲気の温度を検出する温度センサと、
前記水蒸気の飽和状態或いはこの飽和状態に近い状態にある被検出ガス雰囲気内にて成立する前記検出装置本体の検出濃度を補正するための補正係数と前記温度センサの検出温度との間の極大値を有する２次曲線関係を用いて、前記補正係数を前記温度センサの検出温度に基づき決定する補正係数決定手段と、
この補正係数決定手段により決定される補正係数に基づき前記検出装置本体の検出濃度を補正する補正手段とを備えることを特徴とする水素ガス検出装置。
【請求項３】
プロトン伝導層を有する検出装置本体を備えて、水蒸気の飽和状態或いはこの飽和状態に近い状態にある被検出ガス雰囲気内に前記検出装置本体を配置した状態でプロトンが前記被検出ガス雰囲気に含まれる水素ガスに応じ前記プロトン伝導層を伝導することにより生ずる電流に基づき前記水素ガスの濃度を前記検出装置本体により検出するようにした水素ガス検出装置において、
前記水蒸気の飽和状態或いはこの飽和状態に近い状態にある被検出ガス雰囲気の温度を検出する温度センサと、
水蒸気の飽和状態或いはこの飽和状態に近い状態にある被検出ガス雰囲気内にて水分の濃度が温度の上昇（或いは低下）に伴い増大（或いは減少）するという第１の所定の関係を用いて、前記温度センサの検出温度に基づき、水分の濃度を算出する水分濃度算出手段と、
前記検出装置本体の検出濃度が、前記水蒸気の飽和状態或いはこの飽和状態に近い状態にある被検出ガス雰囲気内にて、水分の濃度の増大（或いは減少）に伴い増大（或いは減少）するという第２の所定の関係を用いて、前記水分濃度算出手段により算出される水分の濃度に基づき前記検出装置本体の検出濃度を補正する補正手段とを備えることを特徴とする水素ガス検出装置。
【発明の詳細な説明】
【技術分野】
【０００１】
本発明は、水素ガス検出装置に関するものである。
【背景技術】
【０００２】
従来、この種の水素ガス検出装置としては、プロトン伝導層を採用してなる水素ガス検出装置がある。この水素ガス検出装置においては、プロトンが当該プロトン伝導層を伝導することにより生ずる電流、換言すれば、プロトンの伝導量に基づき、被測定ガス雰囲気中の水素ガスの濃度が検出されるようになっている。
【０００３】
このような構成の水素ガス検出装置に依る場合、プロトンがプロトン伝導層を伝導する際に水分を伴って伝導するため、プロトンの伝導量が被測定ガス雰囲気中の水分の濃度（即ち、湿度）の変化によって変化する。このことは、水素ガス検出装置としての検出精度が被測定ガス雰囲気中の水分の濃度の変化によって低下することを意味する。
【０００４】
これに対する対策として、下記特許文献１に開示された水素ガス検出装置が提案されている。この水素ガス検出装置においては、水素ガスの濃度を求めるにあたり、プロトン伝導層の内部抵抗値を予め検出しておき、この内部抵抗値でもって、プロトンが当該プロトン伝導層を伝導することにより生ずる電流を補正するようにしている。
【特許文献１】特開２００１−１５３８３７号公報
【発明の開示】
【発明が解決しようとする課題】
【０００５】
ところで、上述のように構成した特許文献１の水素ガス検出装置においては、プロトン伝導層の内部抵抗値が水素ガス検出装置の長期間の使用によって経時的に変化するおそれがある。
【０００６】
このため、被測定ガス雰囲気の水分の濃度が同一であっても、水素ガス検出装置の長期間の使用に伴い、プロトン伝導層の内部抵抗値が、当該水素ガス検出装置の使用初期におけるプロトン伝導層の内部抵抗値から変化してしまうおそれがある。
【０００７】
その結果、上記特許文献１の水素ガス検出装置に依る場合、水素ガスの濃度が、長期に亘っては、精度よく検出し得ないおそれがある。
【０００８】
これに対しては、別途、湿度センサを水素ガス検出装置に設け、当該湿度センサにより被測定ガス雰囲気中の水分の濃度（即ち、湿度）を検出して、この検出結果でもって水素ガスの濃度を補正することが考えられる。
【０００９】
しかし、水素ガスの濃度の検出時には、水素ガス検出装置が水蒸気の飽和状態或いはこの飽和状態に近い状態にある被測定ガス雰囲気内に晒される。このことは、湿度センサも、同様に、水蒸気の飽和状態或いはこの飽和状態に近い状態にある被検出ガス雰囲気内に晒されることを意味する。
【００１０】
ここで、湿度センサが、水蒸気の飽和状態或いはこの飽和状態に近い状態にある被検出ガス雰囲気内に長期に亘り晒されると、湿度センサの検出特性が劣化して、当該湿度センサによる湿度の検出精度が低下する。その結果、このような検出精度の低い湿度を利用しても、水素ガスの濃度が精度よく検出され得ないという不具合を招く。
【００１１】
そこで、本発明は、以上のようなことに対処するため、湿度センサに依存することなく、水蒸気の飽和状態或いはこの飽和状態に近い状態にある被検出ガス雰囲気内の水素ガスの濃度を精度よく検出するようにした水素ガス検出装置を提供することを目的とする。
【課題を解決するための手段】
【００１２】
上記課題の解決にあたり、本発明に係る水素ガス検出装置は、請求項１の記載によれば、
プロトン伝導層（１４１０）を有する検出装置本体（１０００）を備えて、水蒸気の飽和状態或いはこの飽和状態に近い状態にある被検出ガス雰囲気内に上記検出装置本体を配置した状態でプロトンが上記被検出ガス雰囲気に含まれる水素ガスに応じプロトン伝導層を伝導することにより生ずる電流に基づき水素ガスの濃度を検出装置本体により検検出する。
【００１３】
当該水素ガス検出装置において、水蒸気の飽和状態或いはこの飽和状態に近い状態にある被検出ガス雰囲気の温度を検出する温度センサ（２０００）と、
水蒸気の飽和状態或いはこの飽和状態に近い状態にある被検出ガス雰囲気内にて検出装置本体の検出濃度が温度センサの検出温度の上昇（或いは低下）に伴い増大（或いは減少）するという所定の関係を用いて、検出装置本体の検出濃度を温度センサの検出温度に基づき補正する補正手段（３３００、３４００）とを備えることを特徴とする。
【００１４】
このように、上記所定の関係を用いて検出装置本体の検出濃度を温度センサの検出温度で補正するので、水蒸気の飽和状態或いはこの飽和状態に近い状態内の水分の濃度に依存することなく、水素ガスの濃度を精度よく検出し得る。
【００１５】
ここで、温度センサは水蒸気の飽和状態或いはこの飽和状態に近い状態にある被検出ガス雰囲気内に長期に亘り晒されても、当該温度センサの特性が湿度センサに比べて劣化し難い。このため、温度センサは長期に亘り精度よく温度を検出することができる。その結果、このような温度センサの検出温度を利用することで、検出装置本体の検出濃度が長期に亘り精度よく補正され得る。このことは、当該水素ガス検出装置によれば、水素ガスの濃度が長期に亘り精度よく検出され得ることを意味する。
【００１６】
また、本発明に係る水素ガス検出装置は、請求項２の記載によれば、請求項１に記載の発明において、この発明にいう補正手段に代えて、
水蒸気の飽和状態或いはこの飽和状態に近い状態にある被検出ガス雰囲気内にて成立する検出装置本体の検出濃度を補正するための補正係数と温度センサの検出温度との間の極大値を有する２次曲線関係を用いて、上記補正係数を温度センサの検出温度に基づき決定する補正係数決定手段（３３００）と、
この補正係数決定手段により決定される補正係数に基づき上記検出装置本体の検出濃度を補正する補正手段（３４００）とを備えることを特徴とする。
【００１７】
このように、請求項１に記載の補正手段による補正に代えて、上記２次曲線関係を用いて温度センサの検出温度に基づき上記補正係数を決定し、この決定補正係数に基づき検出装置本体の検出濃度を補正するようにしても、請求項１に記載の発明と同様の作用効果が達成され得る。
【００１８】
また、本発明に係る水素ガス検出装置は、請求項３の記載によれば、請求項１に記載の発明において、この発明にいう補正手段に代えて、
水蒸気の飽和状態或いはこの飽和状態に近い状態にある被検出ガス雰囲気内にて水分の濃度が温度の上昇（或いは低下）に伴い増大（或いは減少）するという第１の所定の関係を用いて、温度センサの検出温度に基づき、水分の濃度を算出する水分濃度算出手段と、
検出装置本体の検出濃度が、水蒸気の飽和状態或いはこの飽和状態に近い状態にある被検出ガス雰囲気内にて、水分の濃度の増大（或いは減少）に伴い増大（或いは減少）するという第２の所定の関係を用いて、水分濃度算出手段により算出される水分の濃度に基づき検出装置本体の検出濃度を補正する補正手段（３３００、３４００）とを備えることを特徴とする。
【００１９】
このように、上記第１の所定の関係を用いて温度センサの検出温度に基づき水分の濃度を算出し、かつ、上記第２の所定の関係を用いて上記水分の算出濃度に基づき検出装置本体の検出濃度を補正するようにしても、請求項１に記載の発明と同様の作用効果が達成され得る。
【００２０】
なお、請求項１〜３のいずれかの記載において、水蒸気の飽和状態或いはこの飽和状態に近い状態は、露点或いはその近傍に相当し、相対湿度でいえば、１００（％）〜７５（％）の範囲に相当する。
【００２１】
また、上記各手段の括弧内の符号は、後述する実施形態に記載の具体的手段との対応関係を示すものである。
【発明を実施するための最良の形態】
【００２２】
以下、本発明の一実施形態を図面により説明する。
【００２３】
図１は、本発明に係る水素ガス検出装置の一実施形態を示している。当該水素ガス検出装置は、図１にて示すごとく、検出装置本体１０００を備えている。この検出装置本体１０００は、金属製筒体１１００を有しており、この筒体１１００の底壁１１１０の中央には、流入口部１１１１が形成されている。
【００２４】
また、この筒体１１００は、その周壁１１２０にて、２つの流出口部１１２１を備えており、これら流出口部１１２１は、底壁１１１０の近傍において、周壁１１２０の周方向に沿い間隔をおいて形成されている。なお、図１にて、符号１１３０は、フランジを示しており、このフランジ１１３０は、周壁１１２０の先端側開口部から外方へ半径方向に延出形成されている。
【００２５】
また、当該検出装置本体１０００は、図１にて示すごとく、筒体１１００内に収容した下側支持部材１２００、上側支持部材１３００及び検出素子１４００を備えている。
【００２６】
下側支持部材１２００は、図２にて詳細に示すごとく、各円形状の下側、中間側及び上側の基板１２１０、１２２０及び１２３０を備えており、これら各基板１２１０、１２２０及び１２３０は、共に、セラミック材料でもって形成されている。
【００２７】
下側基板１２１０の裏面には、環状の下側電極層１２４０が、同軸的に積層されている。また、中間側基板１２２０は、円板状の中間側電極層１２５０を介し、下側基板１２１０の表面に同軸的に積層されている。ここで、中間側電極層１２５０は、下側基板１２１０にその板厚方向に形成したスルーホール１２１１を介し、下側電極層１２４０に電気的に接続されている。
【００２８】
また、上側基板１２３０は、円板状の中間側電極層１２６０を介し、中間側基板１２２０の表面に同軸的に積層されており、この上側基板１２３０の表面には、上側電極層１２７０が同軸的に積層されている。ここで、中間側電極層１２６０は、中間側基板１２２０にその板厚方向に形成したスルーホール１２２１を介し、中間側電極層１２５０に電気的に接続されている。また、上側電極層１２７０は、上側基板１２３０にその板厚方向に形成したスルーホール１２３１を介し、中間側電極層１２６０に電気的に接続されている。
【００２９】
このように積層した上側電極層１２７０、上側基板１２３０、中間側電極層１２６０、中間側基板１２２０、中間側電極層１２５０及び下側基板１２１０には、拡散律速孔部１２８０が、上側電極層１２７０から下側基板１２１０にかけて、同軸的に形成されている（図１及び図２参照）。
【００３０】
以上のように構成した下側支持部材１２００は、その下側基板１２１０にて、下側電極層１２４０を介し、筒体１１００の底壁１１１０の内面上に着座するように筒体１１００内に収容されている（図１参照）。
【００３１】
一方、上側支持部材１３００は、図２にて詳細に示すごとく、環状の下側基板１３１０、環状の中間側基板１３２０及び円形状の両上側基板１３３０、１３４０を備えており、これら各基板１３１０〜１３４０は、共に、セラミック材料でもって形成されている。
【００３２】
中間側基板１３２０は、下側基板１３１０の表面上に同軸的に積層されており、この中間側基板１３２０の外周部には、４つのスリット１３２１が形成されている。これら各スリット１３２１は、基板１３２０にその周方向に沿い等角度（９０°）の間隔にて形成されて、基板１３２０内の中空部を当該基板１３２０の外方に連通させる。
【００３３】
上側基板１３３０は中間側基板１３２０の表面に同軸的に積層されており、この上側基板１３３０の裏面のうち中間側基板１３２０の中空部内に露呈する裏面部位には、円板状の下側電極層１３５０が積層されている。
【００３４】
上側基板１３４０は、中間側電極層１３６０を介し上側基板１３３０の表面に同軸的に積層されており、この上側基板１３４０の表面には、上側電極層１３７０が同軸的に積層されている。ここで、中間側電極層１３６０は、上側基板１３３０にその板厚方向に形成したスルーホール１３３１を介し、下側電極層１３５０に電気的に接続されている。また、上側電極層１３７０は、上側基板１３４０にその板厚方向に形成したスルーホール１３４１を介し、中間側電極層１３６０に電気的に接続されている。
【００３５】
このように構成した上側支持部材１３００は、その環状の下側基板１３１０にて、検出素子１４００のプロトン伝導層１４１０（後述する）の外周部上に着座している（図１参照）。
【００３６】
検出素子１４００は、図１及び図２にて示すごとく、下側支持部材１２００と上側支持部材１３００との間に挟持されているもので、この検出素子１４００は、プロトン伝導層１４１０及び正負両側電極１４２０、１４３０を備えている。
【００３７】
プロトン伝導層１４１０は、高分子電解質でもって、円板状に形成されており、このプロトン伝導層１４１０は、その外周部にて、環状シール１４５０（図１参照）を介し、両支持部材１２００、１３００の各外周部間に挟持されている。
【００３８】
本実施形態では、プロトン伝導層１４１０を形成する高分子電解質として、ナフィオン（登録商標）１１７が採用されている。なお、環状シール１４５０は、プロトン伝導層１４１０の外周部と下側支持部材１２００の中間側基板１２２０の外周部との間に気密的に挟持されている。
【００３９】
正側電極１４２０は、負側電極１４３０と共に円板状に形成されており、当該正側電極１４２０は、その裏面にて、プロトン伝導層１４１０の正側面に当接している。また、当該正側電極１４２０は、下側支持部材１２００の上側電極層１２７０とプロトン伝導層１４１０との間に挟持されている。
【００４０】
本実施形態において、正側電極１４２０は、貴金属触媒（Ｐｔ）をカーボンブラックに担持させたものをカーボンペーパーに塗布して形成されている。これにより、当該正側電極１４２０は、拡散律速孔部１２８０を通して導入される被検出ガスを拡散させてプロトン伝導層１４１０に案内する。
【００４１】
負側電極１４３０は、上側支持部材１３００の下側基板１３１０及び中間側基板１３２０の両中空部内に嵌装されて、プロトン伝導層１４１０と上側支持部材１３００の下側電極層１３５０との間に挟持されている。本実施形態において、負側電極１４３０は、正側電極１４２０と同様に、貴金属触媒（Ｐｔ）をカーボンブラックに担持させたものをカーボンペーパーに塗布して形成されている。
【００４２】
円柱状樹脂部材１５００は、両環状シール１５１０、１５２０を介し、筒体１１００内にその先端側開口部から同軸的に嵌装されており、当該樹脂部材１５００は、上側支持部材１３００を介し、検出素子１４００を下側支持部材１２００上に押圧している。なお、当該樹脂部材１５００は、電気絶縁性合成樹脂でもって形成されている。
【００４３】
環状シール１５１０は、樹脂部材１５００の下端部に形成した小径の環状ボス部１５３０に同軸的に嵌装されて、樹脂部材１５００の大径部１５４０（図１参照）の環状下端面と上側支持部材１３００の上側基板１３４０（図２参照）の外周部との間に気密的に挟持されている。また、環状シール１５２０は、樹脂部材１５００における大径部１５４０の周壁の軸方向中間部位に環状に形成した溝部１５４１（図１参照）内に同軸的に嵌装されて、筒体１１００の周壁１１２０と環状溝部１５４１との間に気密的に挟持されている。
【００４４】
正側接続端子１６００は、クランク状のターミナルからなるもので、この正側接続端子１６００は、その中間部位１６１０及び先端部位１６２０にて、樹脂部材１５００の上面から外周面にかけてＬ字状に形成した凹所１５５０（図１参照）内に収容されている。ここで、当該正側接続端子１６００は、その先端部位１６２０の中間部位に形成した凸状湾曲部１６２１（図１参照）でもって、筒体１１００の周壁１１２０に当接することで、当該筒体１１００に電気的に接続されている。
【００４５】
また、負側接続端子１７００は、略Ｌ字状のターミナルからなるもので、この負側接続端子１７００は、樹脂部材１５００の貫通穴部１５６０及び凹所１５７０内に図１にて示すごとく挿通して収容されている。ここで、当該負側接続端子１７００は、その脚部１７１０にて、凹所１５７０内において上側支持部材１３００の上側電極層１３７０に当接することで、当該上側電極層１３７０と電気的に接続されている。
【００４６】
なお、上述した貫通穴部１５６０は、樹脂部材１５００に同軸的に形成されている。また、凹所１５７０は、樹脂部材１５００の下端部にて、貫通穴部１５６０とＬ字状に連通形成されている。また、本実施形態において、検出装置本体１０００の筒体１１００以外の各構成部材は、下側支持部材１２００から正側接続端子１６００にかけて順次筒体１１００内に収容される。
【００４７】
また、当該水素ガス検出装置は、図１にて示すごとく、温度センサ２０００及びマイクロコンピュータ３０００を備えている。温度センサ２０００は、被検出ガスの雰囲気（以下、被検出ガス雰囲気ともいう）内に配設されて、その検出部にて、当該被検出ガス雰囲気の温度を検出する。本実施形態では、温度センサ２０００として、例えば、サーミスタが採用されている。
【００４８】
ここで、本実施形態において、湿度センサではなく、温度センサ２０００を当該水素ガス検出装置に採用するにあたり、以下のことを検討してみた。
【００４９】
まず、本発明者等は、検出装置本体１０００により検出される水素ガスの濃度が、水蒸気の非飽和状態にある被検出ガス雰囲気内の水分の濃度（湿度）とどのような関係を有するかについて検討してみた。
【００５０】
この検討にあたり、まず、検出装置本体１０００の感度特性について、次の測定条件のもとに、被検出ガス雰囲気内の水分の濃度をパラメータとして調べてみた。なお、当該感度特性は、検出装置本体１０００により検出される水素ガスの濃度と当該検出装置本体１０００に流れる限界電流との関係で特定される。
【００５１】
上記測定条件は次の通りである。
【００５２】
ガス組成は、０（体積％）〜７０（体積％）の範囲の濃度の水素ガス（Ｈ2）、２０（体積％）の濃度の水分（Ｈ2Ｏ）及び窒素（Ｎ2）である。また、ガス温度は８０（℃）であり、ガス流量は１０（リットル／ｍｉｎ）である。なお、測定初期において、水分の濃度が２０（体積％）であるときに分析計の水素ガスの濃度が、検出装置本体１０００により検出される水素ガスの濃度と一致するように調整される。
【００５３】
上記測定条件のもとに調べた結果、当該感度特性は、図５にて示すような非直線状のグラフとして得られた。これは、限界電流が非直線的に変化するためである。
【００５４】
なお、図５のグラフは、被検出ガス雰囲気内の水分（Ｈ2Ｏ）の濃度を２０（体積％）として得られたものである。また、図５において、縦軸は、検出装置本体１０００に流れる限界電流（以下、限界電流Ｉｐともいう）を表わし、横軸は、被検出ガス雰囲気内に投入される水素ガスの濃度を表わす。また、当該投入水素ガスの濃度は分析計で測定したものである。
【００５５】
上記感度特性では、限界電流Ｉｐが、上述のごとく、上記投入水素ガスの濃度との間において非直線状に特定されることから、この非直線状のままでは、不便である。このため、図５のグラフを、コンピュータにより解析処理でもって、直線状のグラフ１２（図６参照）に変換した。
【００５６】
詳細には、検出装置本体１０００により検出される水素ガスの濃度が、図５のグラフを根拠に、限界電流Ｉｐの３次式で特定されることを考慮して、検出装置本体１０００により検出される水素ガスの濃度と上記投入水素ガスの濃度との間の関係を、コンピュータによる解析処理でもって、直線的関係に変換することで、図６のグラフ１２を得た。
【００５７】
このグラフ１２によれば、水蒸気の非飽和状態にある被検出ガス雰囲気内の水分の濃度を２０（体積％）としたとき、検出装置本体１０００の検出濃度は、当該被検出ガス雰囲気内の水素ガスの濃度との間で、直線状グラフ１２でもって特定されることが分かる。
【００５８】
次に、検出装置本体１０００の感度特性について、水蒸気の非飽和状態にある被検出ガス雰囲気内の水分の濃度をパラメータとして、さらに、次の測定条件のもとに調べてみた。
【００５９】
当該測定条件は、次の通りである。
【００６０】
ガス組成は、０（体積％）〜７０（体積％）の範囲の濃度の水素ガス（Ｈ2）、５（体積％）、１０（体積％）、２０（体積％）及び３０（体積％）の各濃度の水分（Ｈ2Ｏ）及び窒素（Ｎ2）である。また、ガス温度は８０（℃）であり、ガス流量は１０（リットル／ｍｉｎ）である。
【００６１】
このような測定条件のもとに調べた結果、上記感度特性は、図５の非直線状のグラフと同様の各グラフとして得られた。従って、このように非直線状に変化する各グラフを、上述と同様に、直線状のグラフに変換すれば、複数の直線状のグラフが、図７にて例示するように、得られる。
【００６２】
ここで、図７において、符号１２は、図６のグラフを示す。また、符号１３は、水蒸気の非飽和状態にある被検出ガス雰囲気内の水分の濃度を５（体積％）としたときの検出装置本体１０００の検出濃度と上記投入水素ガスの濃度との関係を表すグラフを示す。
【００６３】
また、符号１４は、水蒸気の非飽和状態にある被検出ガス雰囲気内の水分の濃度を１０（体積％）としたときの検出装置本体１０００の検出濃度と上記投入水素ガスの濃度との関係を表すグラフを示す。また、符号１５は、水蒸気の非飽和状態にある被検出ガス雰囲気内の水分の濃度を３０（体積％）としたときの検出装置本体１０００の検出濃度と上記投入水素ガスの濃度との関係を表すグラフを示す。
【００６４】
これら各グラフ１２〜１５を相互に比較してみれば明らかなように、検出装置本体１０００の感度特性は、水蒸気の非飽和状態にある被検出ガス雰囲気内の水分の濃度の変化に伴い互いに異なるように変化している。これは、各グラフ１２〜１５の勾配が相互に異なっているためである。
【００６５】
そこで、各水分の濃度における投入水素ガスの濃度と検出装置本体１０００の検出濃度との間の関係（図７参照）を、勾配α及び切片０の直線式で近似的に表すと、水分の濃度毎に、水分の濃度と勾配αとの関係が次の表１で与えられる。
【００６６】
【表１】
2006194601.tif 000003
【００６７】
この表１において、水分の濃度が２０（体積％）であるときの勾配はα＝１となるため、残りの水分の濃度毎においても、勾配α＝１となるような補正係数βを導入すれば、この補正係数βを用いることで、水蒸気の非飽和状態にある被検出ガス雰囲気内の水分の濃度が変化しても、各グラフ１３〜１５の勾配をグラフ１２の勾配（α＝１）に実質的に一致させ得る。
【００６８】
ここで、上述の補正係数βは、水蒸気の非飽和状態にある被検出ガス雰囲気内の水分の濃度ごとに、次の（１）式で与えられる。
【００６９】
β＝１／α・・・（１）
ちなみに、各水分の濃度と、各対応の勾配α及び補正係数βとの間の具体的な数値関係は、表１にて例示する通りである。
【００７０】
しかして、水蒸気が非飽和状態にある被検出ガス雰囲気においては、水分の濃度が変化しても、式（１）で求めた補正係数βを用いて、次の式（２）により検出装置本体１０００の検出濃度を補正することができる。
【００７１】
水素ガスの補正濃度（体積％）＝検出装置本体の検出濃度×補正係数β・・・（２）
この式（２）でもって検出装置本体１０００の検出濃度を補正した結果、図８にて示すようなグラフが得られた。これによれば、図７の各グラフ１３〜１５がグラフ１２にほぼ一致していることが分かる。
【００７２】
また、投入水素ガスの濃度が２０（体積％）、４０（体積％）及び６０（体積％）である場合に、水分の濃度５（体積％）、１０（体積％）、２０（体積％）及び３０（体積％）のとき、上述のような補正のない場合と補正した場合との誤差を調べたところ、次の表２のような結果が得られた。
【００７３】
【表２】
2006194601.tif 000004
【００７４】
この表２によれば、水分の濃度が変化しても、検出装置本体１０００の検出濃度を上述のように水分の濃度で補正することで、検出装置本体１０００の検出濃度を補正しない場合に比べて、水素ガスの濃度のばらつきが非常に少ないことが分かる。
【００７５】
しかしながら、上述のように検出装置本体１０００の検出濃度の補正に用いる水分の濃度を湿度センサでもって検出すると仮定した場合、本明細書の冒頭にて述べたように、水素ガスの濃度の検出にあたり、当該湿度センサは、検出装置本体１０００と共に、水蒸気の飽和状態にある被検出ガス雰囲気内に長期に亘り晒されるため、当該湿度センサの検出出力が低下する。従って、このように低下した湿度センサの検出出力を用いて検出装置本体１０００の検出濃度を補正しても、この補正精度を表２のように良好には確保できない。
【００７６】
そこで、本発明者等は、被検出ガス雰囲気内において水分と温度とがどのような関係を有するかについて詳細に検討してみた。これによれば、被検出ガス雰囲気が水蒸気の飽和状態にある場合、当該被検出ガス雰囲気内の水分の濃度は、当該被検出ガス雰囲気の温度の上昇（或いは低下）に伴い増大（或いは減少）することが確認された。なお、飽和状態にある被検出ガス雰囲気の水分の濃度は当該被検出ガス雰囲気の温度（即ち、露点）によって決まる。
【００７７】
このように、水蒸気の飽和状態にある被検出ガス雰囲気の水分の濃度と温度との関係が成立することから、水分の濃度に代えて、当該温度でもって、検出装置本体１０００の検出濃度を補正すれば、この補正は、湿度センサに依存することなく、精度よく行えることが分かる。
【００７８】
以上のようなことから、被検出ガス雰囲気が水蒸気の飽和状態にある場合には、水分の濃度が温度の上昇（或いは低下）に伴い増大（或いは減少）することを利用して式（１）で算出される補正係数βは、水蒸気の飽和状態にある被検出ガス雰囲気の温度との関係で特定され得ることが分かる。
【００７９】
ちなみに、水蒸気の非飽和状態にある被検出ガス雰囲気の水分の濃度が５（体積％）、１０（体積％）、２０（体積％）及び３０（体積％）にあるときに当該被検出ガス雰囲気をそれぞれ水蒸気の飽和状態にするに要する各温度（各露点）を算出してみた。
【００８０】
そして、これら温度との関係において、水蒸気の非飽和状態にある被検出ガス雰囲気内で水分の濃度が５（体積％）、１０（体積％）、２０（体積％）及び３０（体積％）にあるときの各補正係数βをプロットしたところ、図９にて示すようなグラフが得られた。このグラフは、極大値を有する２次曲線で与えられることが分かった。
【００８１】
また、当該図９のグラフによれば、水蒸気の飽和状態にある被検出ガス雰囲気の温度を独立変数ｔとすると、当該飽和状態における補正係数βを従属変数として、補正係数βは、温度ｔの２次関数式（３）で与えられる。
【００８２】
β＝−0.000113ｔ2＋0.007964ｔ＋0.932520・・・（３）
但し、ｔが３３（℃）よりも高いときに、２次関数式（３）が適用される。また、ｔが３３（℃）以下であるとき、２次関数式（３）に依らず、β＝１．０７２とする。また、２次関数式（３）における補正係数βは、式（１）における補正係数βと同一である。
【００８３】
以上より、水素ガスの濃度が、２次関数式（３）により求めた補正係数βを用いて、次の式（４）により補正され得ることが分かる。
【００８４】
水素ガスの濃度（体積％）＝検出装置本体の検出濃度×補正係数β・・・（４）
但し、この式（４）において、補正係数βは、２次関数式（３）で求めたものである。
【００８５】
以上のような観点から、本実施形態では、水蒸気の飽和状態にある被検出ガス雰囲気の温度に基づいて水素ガスの濃度を補正するために、温度センサ２０００を採用した。
【００８６】
マイクロコンピュータ３０００は、図３にて示すフローチャートに従い、コンピュータプログラムを実行し、この実行中において、検出装置本体１０００の検出濃度及び温度センサ２０００の検出温度に基づき、水素ガスの濃度の補正に必要な種々の処理を行う。
【００８７】
なお、マイクロコンピュータ３０００は、直流電源（図示しない）からの給電に基づき作動状態となり、上記コンピュータプログラムの実行を開始する。また、当該コンピュータプログラムは、マイクロコンピュータ３０００のＲＯＭに当該マイクロコンピュータにより読み出し可能に予め記憶されている。
【００８８】
このように構成した本実施形態において、当該水素ガス検出装置により水素ガスの濃度を検出するにあたっては、検出装置本体１０００を、ガス配管１０に電気的に絶縁した状態で取り付ける（図４参照）。
【００８９】
具体的には、検出装置本体１０００の筒体１１００をその底壁１１１０側からガス配管１０の開口部（図示しない）に嵌装するとともにフランジ１１３０を当該開口部に着座させる。これにより、検出装置本体１０００は、拡散律速孔部１２８０にて、筒体１１００の底壁１１１０の流入口部１１１１を通して、ガス配管１０内にて図４にて図示矢印１１方向に流れる被検出ガスの雰囲気内に晒される。
【００９０】
また、温度センサ２０００も同様にガス配管１０に取り付ける（図４参照）。具体的には、温度センサ２０００をその検出部側からガス配管１０の他の開口部に嵌装して当該開口部に着座させる。このとき、温度センサ２０００はその検出部にて被検出ガス雰囲気内に晒される。なお、現段階において、ガス配管１０内の被検出ガス雰囲気は、水蒸気の飽和状態にあるものとする。また、図４にて、符号２０は、上記直流電源に相当する直流電源を示す。
【００９１】
このような状態においては、ガス配管１０内の被検出ガスは、筒体１１００の流入口部１１１１及び下側支持部材１２００の拡散律速孔部１２８０を通り検出素子１４００の正側電極１４２０に到達する。これに伴い、当該被検出ガスに含まれる水素ガスは、正側電極１４２０により拡散された後、プロトン伝導層１４１０を介し負側電極１４３０に汲み出されて、上側支持部材１３００の各スリット１３２１を通り筒体１１００の各流出口部１１２１から外部に流出していく。
【００９２】
このような状態において、検出装置本体１０００の負側接続１９００を接地し、かつ当該検出装置本体１０００の正側接続端子１６００をマイクロコンピュータ３０００の出力ポートに接続する。また、温度センサ２０００の出力端子をマイクロコンピュータ３０００の他の出力ポートに接続する。
【００９３】
しかして、直流電源２０からマイクロコンピュータ３０００に給電すると、当該マイクロコンピュータ３０００は、図３のフローチャートに従い上記コンピュータプログラムの実行を開始する。
【００９４】
これに伴い、ステップ３１００において、水素ガスの検出濃度の入力処理が次のようになされる。
【００９５】
上述のようなマイクロコンピュータ３０００に対する給電のもと、直流電源２０からの直流電圧が、検出装置本体１０００の正側接続端子１６００及び負側接続端子１７００の間に、プロトンを伝導するためのポンプ電圧として印加される。このことは、当該ポンプ電圧が、検出素子１４００の両電極１４２０、１４３０の間に印加されることを意味する。
【００９６】
しかして、上述のように水素ガスが正側電極１４２０に流入するに伴い、当該正側電極１４２０が、その電極材料による触媒作用を発揮して、水素ガスを解離、分解或いは反応させてプロトンを発生させる。
【００９７】
このように発生したプロトンは、正側電極１４２０からプロトン伝導層１４１０によりそのプロトン伝導作用でもって伝導されて負側電極１４３０へ汲み出される。このようなプロトンの汲み出しに伴い生ずる直流電流が、検出素子１４００の負側電極１４３０、上側支持部材１３００の下側電極層１３５０、スルーホール１３３１、中間側電極層１３６０、スルーホール１３４１及び上側電極層１３７０、負側接続端子１７００、直流電源２０、マイクロコンピュータ３０００、正側接続端子１６００、筒体１１００の周壁１１２０及び底壁１１１０、下側支持部材１２００の下側電極層１２４０、スルーホール１２１１、中間側電極層１２５０、スルーホール１２２１、中間側電極層１２６０、スルーホール１２３１及び上側電極層１２７０を通り正側電極１４２０に流れる。
【００９８】
このような直流電流は、ポンプ電圧に対応する限界電流であって、水素ガスの濃度に比例する。従って、この電流が、ステップ３１００にて、検出装置本体１０００による水素ガスの検出濃度としてマイクロコンピュータ３０００に入力される。
【００９９】
以上のようにしてステップ３１００における処理が終了すると、次のステップ３２００において温度入力処理がなされる。この温度入力処理では、温度センサ２０００により検出されるガス配管１０内の被検出ガス雰囲気の温度がマイクロコンピュータ３０００に入力される。
【０１００】
然る後、ステップ３３００において補正係数βの算出処理がなされる。この算出処理では、補正係数βが検出温度ｔに基づき２次関数式（３）を用いて算出される。なお、温度ｔが３３（℃）以下であれば、補正係数は、β＝１．０７２と設定される。
【０１０１】
ついで、ステップ３４００において、水素ガスの検出濃度の補正処理がなされる。この補正処理では、ステップ３１００において入力済みの水素ガスの検出濃度が、式（４）を用いて、２次関数式（３）で算出した補正係数βに基づき補正される。このように補正された水素ガスの検出濃度が当該水素ガス検出装置の検出出力となる。
【０１０２】
ちなみに、２次関数式（３）で算出した補正係数βを用いて式（４）により検出装置本体１０００の水素ガスの検出濃度を補正した結果によれば、図８のグラフと同様のグラフが得られた。これによれば、２次関数式（３）で算出した補正係数βを用いても、上述と同様に、図７の各グラフ１３〜１５がグラフ１２にほぼ一致することが分かる。
【０１０３】
以上述べたように、水蒸気の飽和状態にある被検出ガス雰囲気内においては、検出装置本体１０００の検出濃度が水分の濃度の増大（或いは減少）に伴い増大し、かつ、当該水分の濃度が温度の上昇（或いは低下）に伴い増大（或いは減少）する。
【０１０４】
このため、水蒸気の飽和状態にある被検出ガス雰囲気内においては、検出装置本体１０００の検出濃度が温度の上昇（或いは低下）に伴い増大（或いは減少）する。このような関係を利用して、温度センサ２０００の採用のもと、検出装置本体１０００の検出濃度を、２次関数式（３）による補正係数βに基づき、式（４）を用いて補正した。これにより、検出装置本体１０００の検出濃度を精度よく補正し得る。
【０１０５】
また、この補正にあたり、水分の濃度に依存することなく、温度センサ２０００の検出温度を利用することとした。
【０１０６】
ここで、温度センサ２０００は水蒸気の飽和状態にある被検出ガス雰囲気内に長期に亘り晒されても、当該温度センサ２０００の特性が湿度センサに比べて劣化し難い。このため、温度センサ２０００は長期に亘り精度よく温度を検出することができる。その結果、このような温度センサ２０００の検出温度を利用することで、検出装置本体１０００の検出濃度が長期に亘り精度よく補正され得る。このことは、当該水素ガス検出装置によれば、被検出ガス雰囲気内の水素ガスの濃度が長期に亘り精度よく検出され得ることを意味する。
【０１０７】
また、温度センサ２０００は、湿度センサよりも低コストであるから、水素ガス検出装置としてのコストも、湿度センサを採用することに比べて、軽減し得る。その結果、長期に亘り高い検出精度を有する水素ガス検出装置が、安価に提供され得る。
【０１０８】
なお、本発明の実施にあたり、上記実施形態に限ることなく、次のような種々の変形例が挙げられる。
（１）上述のように、水蒸気の飽和状態にある被検出ガス雰囲気内においては、検出装置本体１０００の検出濃度が水分の濃度の増大（或いは減少）に伴い、増大し、かつ、当該水分の濃度が温度の上昇（或いは低下）に伴い増大（或いは減少）する。従って、このような関係を利用して、上記温度を温度センサ２０００により検出し、この検出温度でもって水分の濃度を求め、このように求めた水分の濃度でもって検出装置本体１０００の検出濃度を補正するようにしてもよい。
【０１０９】
この場合、水分の濃度は、上述のように、湿度センサに依存することなく求められるので、当該水分の濃度は、水蒸気の飽和状態にある被検出ガス雰囲気内に長期に亘り晒されることに起因する湿度センサの劣化の影響を受けることがない。
【０１１０】
その結果、温度センサ２０００の検出温度に基づき求めた水分の濃度を利用することで、上記実施形態と同様に、検出装置本体１０００の検出濃度を長期に亘り精度よく補正し得る。
（２）検出装置本体１０００が水素ガスの検出にあたり晒される被検出ガス雰囲気は、水蒸気の飽和状態に限ることなく、この飽和状態に近い状態にあっても、上記実施形態と同様の作用効果が達成され得る。ここで、水蒸気の飽和状態或いはこの飽和状態に近い状態は、露点或いはその近傍に相当し、相対湿度でいえば、１００（％）〜７５（％）の範囲に相当する。
（３）支持部材１２００に形成した拡散律速孔部１２８０は、複数の貫通孔部としてもよい。また、拡散律速孔部１２８０に代えて、多孔質材料からなる柱状部を採用してもよい。なお、当該柱状部や拡散律速孔部１２８０は、拡散律速部として把握してもよい。
（４）検出装置本体１０００は、上記実施形態にて述べた構成のものに限ることなく、プロトン伝導層によりプロトンを伝導する構成を備える検出装置本体であれば、どのような検出装置本体であってもよい。
【図面の簡単な説明】
【０１１１】
【図１】本発明に係る水素ガス検出装置の一実施形態を示す部分断面図である。
【図２】図１の検出装置本体の検出素子の部分拡大分解断面図である。
【図３】図１のマイクロコンピュータの作用を示すフローチャートである。
【図４】図１の水素ガス検出装置を用いて水素ガスの濃度を検出するための回路図である。
【図５】限界電流と投入水素ガスの濃度との関係を示すグラフである
【図６】図５のグラフを、検出装置本体の検出濃度と投入水素ガスの濃度との直線的関係に変換したグラフである。
【図７】水分の濃度をパラメータとして、検出装置本体の検出濃度と投入水素ガスの濃度との関係を示すグラフである。
【図８】補正係数でもって補正した後の検出装置本体の検出濃度と投入水素ガスの濃度との関係を示すグラフである。
【図９】補正係数と水蒸気の飽和状態にある被検出ガス雰囲気の温度との関係を示すグラフである。
【符号の説明】
【０１１２】
１０００…検出装置本体、１４１０…プロトン伝導層、２０００…温度センサ、
３０００…マイクロコンピュータ。
【図１】
2006194601.tif 000005
【図２】
2006194601.tif 000006
【図３】
2006194601.tif 000007
【図４】
2006194601.tif 000008
【図５】
2006194601.tif 000009
【図６】
2006194601.tif 000010
【図７】
2006194601.tif 000011
【図８】
2006194601.tif 000012
【図９】
2006194601.tif 000013